(57)【要約】【課題】医療機関及びその患者ないしは周辺の住人に対して、感染症の発生・流行状況等に関する情報を迅速に公開することができる感染症情報公開システムを提供する。【解決手段】公開システム１のサーバーコンピュータ２は、インターネット３を介して、医療コンピュータ４及びパソコン５に接続されている。サーバーコンピュータ２は、通信装置８と記憶装置９と中央処理装置１０とを備えている。記憶装置９は、患者情報等を格納する報告情報格納部９ａと、感染症公開情報を格納する公開情報格納部９ｂとを備えている。中央処理装置１０は、報告ウェブページ配信部１０ａと編集部１０ｂと送信禁止部１０ｃとを備えている。編集部１０ｂは感染症公開情報を作成する。送信禁止部１０ｃは、特定の医療機関からその感染症公開情報の公開禁止要求がある場合は、その感染症公開情報の公開を禁止する。【選択図】図２
2007200107.tif 000002
【特許請求の範囲】
【請求項１】
複数の医療機関に各別に所属する複数の医療機関用コンピュータと、上記各医療機関に関連する個々人に各別に所属する複数の個人用情報端末とに、電子情報網を介して接続されたサーバーコンピュータを備えている感染症情報公開システムであって、
上記サーバーコンピュータが、
上記医療機関用コンピュータから該サーバーコンピュータに送信された、上記医療機関の患者の感染症に関する患者情報と該医療機関を一意に識別することができる識別情報とを含む報告情報を受信する受信手段と、
上記受信手段で受信された上記報告情報を格納する報告情報格納手段と、
上記報告情報格納手段に格納されている上記患者情報を、上記識別情報に基づいて医療機関毎に集計・編集し、上記感染症に関する医療機関ごとの公開情報を作成する編集手段と、
上記編集手段によって作成された上記公開情報を格納する公開情報格納手段と、
上記医療機関用コンピュータ又は上記個人用情報端末からの閲覧要求により、上記公開情報格納手段に格納されている任意の医療機関についての上記公開情報を、閲覧要求があった医療機関用コンピュータ又は個人用情報端末に送信する送信手段と、
特定の医療機関から該特定の医療機関についての上記公開情報の公開の禁止要求がある場合は、上記送信手段に対して、該特定の医療機関以外の医療機関に所属する医療機関用コンピュータ、及び／又は、上記個人用情報端末への上記特定の医療機関についての上記公開情報の送信を禁止する送信禁止手段とを備えていることを特徴とする感染症情報公開システム。
【請求項２】
上記サーバーコンピュータが、上記医療機関の業務従事者に上記患者情報又は上記報告情報を入力させるための報告ウェブページを上記医療機関用コンピュータに配信する報告ウェブページ配信手段を備えていることを特徴とする、請求項１に記載の感染症情報公開システム。
【請求項３】
上記公開情報が、上記感染症の患者の場所的な分布態様、上記患者の発生数の経時的な推移態様、上記感染症のタイプ、患者の年齢・性別、患者に対する治療の内容、患者に投与した薬の種類・量、ウィルス分離の結果、及び、ワクチンの接種歴のうちの少なくとも１つを含むことを特徴とする、請求項１又は２に記載の感染症情報公開システム。
【請求項４】
上記電子情報網がインターネットであることを特徴とする、請求項１〜３のいずれか１つに記載の感染症情報公開システム。
【請求項５】
上記感染症がインフルエンザであることを特徴とする、請求項１〜４のいずれか１つに記載の感染症情報公開システム。
【請求項６】
上記感染症が新型インフルエンザであることを特徴とする、請求項５に記載の感染症情報公開システム。
【請求項７】
上記新型インフルエンザが、高病原性鳥インフルエンザから変異が予想されている新型インフルエンザであることを特徴とする、請求項６に記載の感染症情報公開システム。
【請求項８】
上記感染症が重症急性呼吸器症候群であることを特徴とする、請求項１〜４のいずれか１つに記載の感染症情報公開システム。
【請求項９】
上記感染症が、麻疹、風疹、水疱瘡、流行性耳下腺炎、手足口病、流行性角結膜炎又はＲＳウィルス感染症であることを特徴とする、請求項１〜４のいずれか１つに記載の感染症情報公開システム。
【発明の詳細な説明】
【技術分野】
【０００１】
本発明は、インターネット等の電子情報網を利用して、感染症の流行状況等に関する種々の情報を、医療機関の業務従事者及び該医療機関の患者ないしはその周辺の住人に迅速かつ正確に公開することができる感染症情報公開システムに関するものである。
【背景技術】
【０００２】
近年、新型インフルエンザ等の種々の新興感染症が発生しているが、例えば新たに新型インフルエンザが発生した場合、人間はこの新型インフルエンザに対する免疫をもっていないので、この新型インフルエンザが大流行する恐れがある。例えば、高病原性鳥インフルエンザが人間から人間に感染する新型インフルエンザに変異して日本国内で流行した場合、約２５００万人の国民が罹患し、そのうち約１５〜７０万人が死亡する恐れがあるとの予測もある。したがって、新型インフルエンザ等の感染症の流行を防止ないしは抑制するために、感染症の時々刻々の発生・流行状況等を常時把握しておくことは、公衆衛生の向上及び増進を図る上で極めて重要なことである。
【０００３】
そこで、インターネット等の電子情報網（ネットワーク）と、コンピュータないしはデータベースとを利用して、時々刻々の感染症の発生ないしは流行に関する情報を迅速に収集するようにした感染症情報処理システムが種々提案され、かかる感染症情報処理システムの一部のものは、地方自治体、保健所、衛生研究所又は感染症調査研究グループなどで実際に用いられている。
【０００４】
具体的には、例えば、感染症患者の発生に関する地理的情報及び時系列的情報を含む感染症データをデータベースに保管し、データベースに保管された感染症データを用いて、地域ごとに感染症の時系列的な広がり方や、複数要因からなる感染症の発生を、患者や生活環境などの要因ごとに層別することにより感染のメカニズムを分析・特定するようにした感染症情報処理システム（感染症情報表示システム）が提案されている（特許文献１参照）。
【０００５】
また、各患者の患者データの秘匿性を向上させつつ、多数の患者データの研究目的あるいは治験目的等の効率的な利用を可能にする双方向通信ネットワークによる感染症情報処理システム（医療情報提供・取得システム）も提案されている（特許文献２参照）。
【特許文献１】国際公開第２００２／０６１６（第５頁第４〜４８行目、図１）
【特許文献２】特開２００５−４７９０号公報（段落［0008］〜［0009］、図１）
【発明の開示】
【発明が解決しようとする課題】
【０００６】
ところで一方、病院、医院、診療所等の医療機関における医師の診断、臨床検査等により取得された感染症に関する情報は、各医療機関にとっても、また各医療機関の患者やその周辺の住人にとっても、身近な地域での感染症の発生・流行状況を知る上で非常に有益なものである。また、医療機関ないしは医師も、情報処理システムの取り扱いが容易かつ簡便であり、さほど労力を必要としなければ、患者や周辺の住人に対して、感染症の発生・流行等に関する情報を提供することを希望することが多い。そして、医療機関ないしは医師は、患者向けのサービスの一環としてこのような情報を提供することにより、周辺地域の感染症の流行を推察し、感染症の早期発見や警戒に役立てることができる。
【０００７】
しかしながら、例えば特許文献１、２に開示されている従来のこの種の感染症情報処理システムは、主として国又は地方自治体等に属する公共機関が公共的な立場から感染症の発生ないしは流行に関する情報を収集するためのものであり、そのシステム構成が大規模かつ複雑であり、またその取り扱いに多大な労力を必要とするので、病院、医院、診療所等の普通の医療機関で用いることは困難であるといった問題がある。また、これらの従来の感染症情報処理システムは、そもそも、医療機関の患者ないしはその周辺の住人に対して感染症の発生・流行に関する情報の提供を行うことを想定していない。
【０００８】
本発明は、上記従来の問題を解決するためになされたものであって、医療機関及びその患者ないしは周辺の住人に対して、感染症の発生・流行状況等に関する情報を迅速に公開することができる、システム構成が簡素で、その取り扱いが容易な感染症情報公開システムを提供することを解決すべき課題とする。
【課題を解決するための手段】
【０００９】
上記課題を解決するためになされた本発明に係る感染症情報公開システムは、複数の医療機関に各別に所属する複数の医療機関用コンピュータと、各医療機関に関連する個々人（例えば、患者、周辺の住人）に各別に所属する複数の個人用情報端末（例えば、パソコン、携帯電話）とに、電子情報網を介して接続されたサーバーコンピュータを備えている。この感染症情報公開システムにおいて、サーバーコンピュータは、下記の各手段（ハードウエア要素）を備えていることを特徴とする。
【００１０】
（１）医療機関用コンピュータからサーバーコンピュータに送信された、医療機関の患者の感染症に関する患者情報と該医療機関を一意に識別することができる識別情報とを含む報告情報を受信する受信手段。
（２）受信手段で受信された報告情報を格納（記憶）する報告情報格納手段。
（３）報告情報格納手段に格納されている患者情報（報告情報の一部）を、識別情報に基づいて医療機関ごとに集計・分析・編集して、感染症に関する医療機関ごとの公開情報（以下「感染症公開情報」という。）を作成する編集手段。
（４）編集手段によって作成された感染症公開情報を格納（記憶）する公開情報格納手段。
（５）医療機関用コンピュータ又は個人用情報端末からの閲覧要求により、公開情報格納手段に格納されている任意の医療機関についての感染症公開情報を、閲覧要求があった医療機関用コンピュータ又は個人用情報端末に送信（配信）する送信手段。
（６）特定の医療機関から該特定の医療機関についての感染症公開情報の公開の禁止要求がある場合は、送信手段に対して、該特定の医療機関以外の医療機関に所属する医療機関用コンピュータ、及び／又は、個人用情報端末への該特定の医療機関についての感染症公開情報の送信を禁止する送信禁止手段。
なお、ここで、報告情報格納手段及び公開情報格納手段は、感染症情報公開システムのデータベースを構築している。
【００１１】
本発明に係る感染症情報公開システムにおいては、サーバーコンピュータが、医療機関の業務従事者に患者情報又は報告情報（患者情報及び識別情報）を入力させるための報告ウェブページを医療機関用コンピュータに配信する報告ウェブページ配信手段を備えているのが好ましい。
【００１２】
本発明に係る感染症情報公開システムにおいて、感染症公開情報としては、例えば、量的情報である、感染症の患者の場所的（地理的）な分布態様や、患者の発生数の経時的な推移態様などが挙げられる。また、質的情報として、例えば、感染症のタイプ（例えば、インフルエンザのタイプ（Ａ型、Ｂ型））、患者の年齢・性別、患者に対する治療の内容、患者に投与した薬の種類・量、ウィルス分離の結果、ワクチンの接種歴などが挙げられる。本発明に係る感染症情報公開システムにおいて、電子情報網（ネットワーク）としては、例えばインターネットなどがあげられる。
【００１３】
感染症としては、例えばウィルスに起因する感染症が挙げられる。ウィルスに起因する感染症としては、従来のインフルエンザのほか、例えば、高病原性鳥インフルエンザ（Ｈ５Ｎ１型等）から変異が予想されている新型インフルエンザや、重症急性呼吸器症候群（ＳＡＲＳ）なども挙げられる。なお、本発明に係る感染症情報公開システムが、ごくありふれた感染症である麻疹、風疹、水疱瘡、流行性耳下腺炎、手足口病、流行性角結膜炎、ＲＳウィルス感染症などにも有益であることはもちろんである。
【発明の効果】
【００１４】
本発明に係る感染症情報公開システムによれば、医療機関ないしは医師にさほど労力を負担させることなく、医療機関及びその周辺の地域の住人ないしは患者に対して、感染症の発生・流行状況等に関する情報を迅速かつ容易に公開ないしは提供することができ、ひいては感染症に対して早期の介入が可能となり、感染症の封じ込めが可能となる。
【発明を実施するための最良の形態】
【００１５】
以下、添付の図面を参照しつつ、本発明を実施するための最良の形態（実施の形態）を具体的に説明する。
図１に示すように、本発明に係る感染症情報公開システム１（以下、略して「公開システム１」という。）は、その主要構成要素としてサーバーコンピュータ２を備えている。サーバーコンピュータ２は、代表的な電子情報網であるインターネット３を介して、病院、医院、診療所等の複数の医療機関に各別に所属する、すなわち各医療機関においてそれぞれ業務従事者（例えば、医師、医療事務取扱者等）が使用する複数の医療機関用コンピュータ４（以下、略して「医療コンピュータ４」という。）に接続ないしはリンクされている。
【００１６】
なお、図１では、２台の医療コンピュータ４が図示されているだけであるが、実際には多数の医療コンピュータがサーバーコンピュータ２に接続されている。さらに、サーバーコンピュータ２は、インターネット３を介して、各医療機関に関連する個々人、例えば該医療機関の患者ないしはその周辺の住人がそれぞれ使用する個人用情報端末である複数のパソコン５にも接続ないしはリンクされている。
【００１７】
図２に示すように、公開システム１を構成するサーバーコンピュータ２は、入力装置６と、出力装置７と、通信装置８と、記憶装置９（メモリ）と、中央処理装置１０（ＣＰＵ）とを備えている。入力装置６は、医療機関の医師、医療事務取扱者等の業務従事者がサーバーコンピュータ２に種々の情報を入力するためのものであって、詳しくは図示していないが、キーボードやマウスなどを備えている。出力装置７は、種々の情報を出力するためのものであって、詳しくは図示していないが、ディスプレイ（モニタ）やプリンタなどを備えている。
【００１８】
通信装置８は、受信部８ａ（受信手段）及び送信部８ｂ（送信手段）を備えていて、インターネット３を介して、医療コンピュータ４やパソコン５をはじめとして、種々のサーバー、コンピュータ、情報端末等と情報をやり取りする。ここで、受信部８ａは、医療コンピュータ４からサーバーコンピュータ２に送信された、医療機関の患者の感染症に関する患者情報と該医療機関を一意に識別することができる識別情報とを含む報告情報を受信する。また、送信部８ｂは、医療コンピュータ４又はパソコン５からの閲覧要求ないしは閲覧のためのアクセスにより、後で説明する記憶装置９の公開情報格納部９ｂに格納されている任意の医療機関についての感染症公開情報を、閲覧要求があった医療コンピュータ４又はパソコン５に送信（配信）する。
【００１９】
記憶装置９は、詳しくは図示していないが、ＲＡＭ及びＲＯＭを備えた主記憶装置と、磁気記憶式のハードディスク等の補助記憶装置とを備えていて、普通のコンピュータ用の記憶装置が一般に格納（記憶）しているオペレーティングシステム（ＯＳ）やアプリケーションソフトをはじめとして種々のソフトウエアを格納している。また、記憶装置９は、本発明に係る感染症情報の集計・分析・編集ないしは公開に資するための報告情報格納部９ａ（報告情報格納手段）及び公開情報格納部９ｂ（公開情報格納手段）を備えている。なお、報告情報格納部９ａ及び公開情報格納部９ｂは、サーバーコンピュータ２のハードディスクの一部の記憶領域であってよく（物理的には一体形成されている）、またハードディスクとは別体の記憶装置であってもよい。
【００２０】
報告情報格納部９ａは、種々の医療機関の医療コンピュータ４から送信され通信装置８の受信部８ａで受信された報告情報を格納する。この報告情報は、医療機関の患者の感染症に関する患者情報と、該医療機関を一意に識別することができる識別情報とを含んでいる。また、公開情報格納部９ｂは、後で説明する中央処理装置１０の編集部１０ａによって作成された、医療機関又は医療機関の患者ないしは周辺の住人に公開すべき感染症に関する感染症公開情報を格納（記憶）する。
【００２１】
中央処理装置１０は、詳しくは図示していないが、演算装置及び制御装置を備えていて、種々の演算を行うとともに、サーバーコンピュータ２の各部を制御する。また、中央処理装置１０は、報告ウェブページ配信部１０ａ（報告ウェブページ配信手段）と、編集部１０ｂ（編集手段）と、送信禁止部１０ｃ（送信禁止手段）とを備えている。ここで、報告ウェブページ配信部１０ａは、医療機関の業務従事者に、その患者の感染症に関する患者情報、あるいは該患者情報と該医療機関を一意に識別することができる識別情報とを含む報告情報を入力させるための報告ウェブページを、送信部８ｂを介して、医療コンピュータ４に配信する。
【００２２】
編集部１０ｂは、報告情報格納部９ａに格納されている報告情報の一部である患者情報を、識別情報に基づいて医療機関ごとに集計・分析・編集して、感染症に関する医療機関ごとの感染症公開情報を作成する。また、編集部１０ｂは、全医療機関についての感染症公開情報、あるいは任意の複数の医療機関（例えば、一定の地域の医療機関、一定の種類の威力機関等）についての感染症公開情報も作成することができる。
【００２３】
送信禁止部１０ｃは、特定の医療機関から該特定の医療機関についての感染症公開情報の公開の禁止要求がある場合は、送信部８ｂに対して、該特定の医療機関（以下「非公開医療機関」という。）に所属する医療コンピュータ４以外の医療コンピュータ４及びパソコン５の一部又は全部への非公開医療機関についての感染症公開情報の送信を禁止する。具体的には、送信禁止部１０ｃは、例えば、全てのパソコン５及び非公開医療機関以外の全ての医療機関に所属する医療コンピュータ４への送信を禁止することができる（全面的公開禁止）。また、全てのパソコン５のみへの送信を禁止したり、非公開医療機関に関連するパソコン５のみへの送信を禁止したり、非公開医療機関以外の医療機関に関連するパソコン５のみへの送信を禁止したりすることができる（部分的公開禁止）。
【００２４】
医療コンピュータ４は、入力装置１１と、出力装置１２と、通信装置１３と、記憶装置１４と、中央処理装置１５とを備えた普通のコンピュータである。また、パソコン５は、入力装置１６と、出力装置１７と、通信装置１８と、記憶装置１９と、中央処理装置２０とを備えた普通のパソコンである。医療コンピュータ４及びパソコン５の具体的な構成及び機能は、当業者によく知られているので、その詳しい説明は省略する。なお、この実施の形態では、個人用端末はパソコン５であるが、個人用端末はパソコンに限られるものではなく、その他の通信機器、例えば携帯電話などであってもよい。
【００２５】
以下、本発明に係る公開システム１ないしはサーバーコンピュータ２の機能を具体的に説明する。サーバーコンピュータ２には、病院、医院、診療所等の種々の医療機関に所属する各医療コンピュータ４から、該医療機関の患者の診察結果ないしは検査結果に基づいて、情報の収集及び公開の対象となっている感染症（以下「対象感染症」という。）に関する報告情報（患者情報及び識別情報）が、インターネット３を介して時々刻々送信されてくる。ここで、対象感染症としては、ウィルスに起因する感染症、例えば、従来のインフルエンザのほか、高病原性鳥インフルエンザ（Ｈ５Ｎ１型等）から変異が予想されている新型インフルエンザや、重症急性呼吸器症候群（ＳＡＲＳ）なども挙げられる。なお、本発明に係る感染症情報公開システムが、ごくありふれた感染症である麻疹、風疹、水疱瘡、流行性耳下腺炎、手足口病、流行性角結膜炎、ＲＳウィルス感染症などにも有益であるのはもちろんである。
【００２６】
これらの医療機関は、公開システム１ないしは所定の感染症についてのデータベース（以下「感染症データベース」という。）の構築又は維持に参加・協力し、あるいは、公開システム１ないしは感染症データベースを利用している医療機関（以下「協力医療機関」という。）である。なお、協力医療機関の医師等は、例えば、公開システム１の構築者が、医師等の医療関係者が参加するメーリングリスト等を利用して募ったり、あるいは、公開システムの存在を知って自発的に参加したりした有志であることが多いものと推測される。
【００２７】
各協力医療機関では、対象感染症の患者が発生する（認知される）と、業務従事者が医療コンピュータ４を操作して、サーバーコンピュータ２（中央処理装置１０の報告ウェブページ配信部１０ａ）にアクセスし、患者情報ないしは報告情報を入力するための報告ウェブページを出力装置７（ディスプレイ）に表示する。そして、業務従事者は、入力装置６（キーボード、マウス）を介して、患者の説明、医師の診察結果、臨床検査結果等に基づいて、患者についての一般的な事項（例えば、住所、氏名、性別、年齢、既往症等）、病状（発症日、診察日、医師の所見、診察結果、検査結果）等に関する所定の情報を患者情報として、１症例ずつ報告ウェブページに入力する。
【００２８】
図３に一例を示すように、報告ウェブページは、その大半（全部でもよい）が質問形式となっているので、業務従事者はこれらの質問に順次回答してゆけば、ほぼ患者情報の入力が完了する。また、業務従事者は、この協力医療機関を一意に識別することができる情報、例えば医療機関の名称あるいは識別コード等を識別情報として報告ウェブページに記入する。なお、識別情報を、業務従事者が入力するのではなく、医療コンピュータ４が自動的に記入するようにしてもよい。
【００２９】
公開システム１ないしはサーバーコンピュータ２は、医療コンピュータ４から送信された患者情報及び識別情報を含む報告情報を通信装置８の受信部８ａで受信すると、この報告情報を記憶装置９の報告情報格納部９ａに格納する。つまり、報告情報格納部９ａは、各協力医療機関で発生した対象感染症の全ての患者の患者情報を、例えば協力医療機関ごとに格納するとともに、後で説明する感染症公開情報を格納している（感染症データベース）。
【００３０】
そして、サーバーコンピュータ２では、報告情報格納部９ａに報告情報が格納されるたびに、中央処理装置１０の編集部１０ｂは、報告情報格納部９ａに格納されている患者情報を、よく知られた統計的手法を用いて、集計・分析・編集して対象感染症についての感染症公開情報を作成し、この感染症公開情報を、記憶装置９の公開情報記憶部９ｂ（感染症データベース）に格納する。感染症公開情報としては、例えば、対象感染症の患者の場所的な分布態様（例えば、都道府県別又は市町村別の患者発生数）や、患者発生数の経時的な推移態様（例えば、患者数の経日変化）などの量的情報が挙げられる。また、質的情報としては、例えば、感染症のタイプ（例えば、インフルエンザのタイプ（Ａ型、Ｂ型）等）、患者の年齢・性別、患者に対する治療の内容、患者に投与した薬の種類・量、ウィルス分離の結果、ワクチンの接種歴などが挙げられる。
【００３１】
具体的には、編集部１０ｂは、全ての協力医療機関について全体的な感染症公開情報（以下「総括感染症公開情報」という。）を作成し、かつ識別情報に基づいて協力医療機関ごとの個別的な感染症公開情報（以下「個別感染症公開情報」という。）を作成する。なお、編集部１０ｂは、このほか、一定の地域の協力医療機関、一定の種別（例えば、規模）の協力医療機関などといった任意の複数の協力医療機関についても感染症公開情報を作成することができる。
【００３２】
図４に、総括感染症公開情報の一例を示す。図４に示す例では、対象感染症について、都道府県別の患者発生数と、患者発生数の経日変化とが表示されている。なお、図４では、総括感染症公開情報をグラフの形態で表示しているが、データをより正確に示すため、表の形態で表示してもよい。
【００３３】
図５、図６Ａ及び図６Ｂに、個別感染症公開情報の一例を示す。ここで、図５は、主として各協力医療機関の患者ないしはその周辺の住人が閲覧することを想定したもの（ページ）であり、図６Ａ及び図６Ｂは各協力医療機関の医師ないしは業務従事者が閲覧することを想定したもの（ページ）である。なお、図６Ｂ（ａ）は図５中のデータ編集項目の具体例を示し、図６Ｂ（ｂ）は図５中のエクセル表示項目の具体例を示し、図６Ｂ（ｃ）は図５中の来院状況の分析結果項目の具体例を示している。
【００３４】
そして、いずれかの医療コンピュータ４又はパソコン５から感染症公開情報の閲覧要求（閲覧のためのアクセス）があれば、サーバーコンピュータ２は、通信装置８の送信部８ｂを介して、要求された感染症公開情報を、閲覧要求があった医療コンピュータ４又はパソコン５に送信（配信）する。この場合、医療コンピュータ４又はパソコン５からは、協力医療機関を一意に識別できる符号を入力すれば、この協力医療機関についての個別感染症公開情報を入手することができる。
【００３５】
しかしながら、特定の協力医療機関（非公開医療機関）が、例えば個人情報の保護ないしはプライバシーの保護の見地から、他の協力医療機関、患者あるいは住人が該非公開医療機関の個別感染症公開情報を閲覧することを望まない場合もある。そこで、この公開システム１ないしはサーバーコンピュータ２では、中央処理装置１０の送信禁止部１０ｃは、非公開医療機関がその個別感染症公開情報の公開禁止を要求している場合は、送信部８ｂに対して、非公開医療機関が要求する禁止態様（前記の全面的公開禁止、部分的公開禁止等）にしたがって、該当する医療コンピュータ４及び／又はパソコン５への当該個別感染症公開情報の送信を禁止する。
【００３６】
かくして、本発明に係る公開システム１ないしはサーバーコンピュータ２によれば、協力医療機関ないしは医師にさほど労力を負担させることなく、対象感染症の流行情報を迅速に収集することができ、協力医療機関及びその周辺の地域の住人ないしは患者に対して、対象感染症の発生・流行状況等に関する情報を迅速かつ容易に公開することができる。
【００３７】
すなわち、各協力医療機関は、この公開システム１を利用することにより、自ら取得した対象感染症についての情報を、その周辺地域の住人に対して、対象感染症の流行情報として提供することができる。つまり、本発明に係る公開システム１は、各協力医療機関がその周辺の地域の公衆衛生の向上及び増進に大きく貢献することを可能にするものである。協力医療機関がこのようにしてその周辺の地域に大きく貢献することになれば、該公開システム１に参加して協力医療機関になろうとする医療機関も増え、公開システム１（感染症データベース）により多くの患者情報が集まることになり、より正確な対象感染症の流行状況の分析を行うことができるものと推測される。
【図面の簡単な説明】
【００３８】
【図１】本発明に係る感染症情報公開システムのサーバーコンピュータと、医療コンピュータ及びパソコンとの接続形態を示す模式図である。
【図２】サーバーコンピュータ、医療コンピュータ及びパソコンのハードウエア構成を示すブロック図である。
【図３】報告ウェブページの一例を示す図である。
【図４】総括感染症公開情報の一例を示す図である。
【図５】個別感染症公開情報の一例を示す図である。
【図６Ａ】個別感染症公開情報の一例を示す図である。
【図６Ｂ】（ａ）〜（ｃ）は、個別感染症公開情報の一例を示す図である。
【符号の説明】
【００３９】
１  感染症情報公開システム（公開システム）、２  サーバーコンピュータ、３  インターネット、４  医療機関用コンピュータ（医療コンピュータ）、５  パソコン、６  入力装置、７  出力装置、８  通信装置、８ａ  受信部、８ｂ  送信部、９  記憶装置、９ａ  報告情報格納部、９ｂ  公開情報格納部、１０  中央処理装置、１０ａ  報告ウェブページ配信部、１０ｂ  編集部、１０ｃ  送信禁止部、１１  入力装置、１２  出力装置、１３  通信装置、１４  記憶装置、１５  中央処理装置、１６  入力装置、１７  出力装置、１８  通信装置、１９  記憶装置、２０  中央処理装置。
【図１】
2007200107.tif 000003
【図２】
2007200107.tif 000004
【図３】
2007200107.tif 000005
【図４】
2007200107.tif 000006
【図５】
2007200107.tif 000007
【図６Ａ】
2007200107.tif 000008
【図６Ｂ】
2007200107.tif 000009